(57)【特許請求の範囲】
【請求項１】
互いに所定の角度をなした第１壁面と第２壁面との夫々に手摺装置を取り付ける際に用いる手摺装置取付補助具であって、
第１部材と、第２部材とを備え、
前記第１部材は、前記第１壁面に当接させる第１壁面当接部と、前記第１壁面当接部から延ばされた第１延設部と、前記第１壁面当接部と第１延設部との間に形成された第１部材位置決め部とを備え、
前記第２部材は、前記第２壁面に当接させる第２壁面当接部と、前記第２壁面当接部から延ばされた第２延設部と、前記第１部材位置決め部を前記第１壁面に設けられた第１壁面手摺取付基準線に沿わして前記第１部材を前記第１壁面に対して位置決めしたときに前記第２壁面における第２壁面手摺取付基準線の一部とする第２壁面取付基準点を指し示す第２壁面取付基準点指示部とを備え、
前記第１延設部と前記第２延設部とは、前記第１壁面当接部と第１設定距離だけ隔て、且つ、前記第２壁面当接部と第２設定距離だけ隔てた位置で、前記第１壁面当接部を前記第１壁面に、第２壁面当接部を第２壁面に夫々当接させた状態にして互いに回動し得るように連結され、
前記第２壁面取付基準点指示部は、前記第２壁面当接部と前記第２延設部との境界と、前記第２延設部上における前記第１延設部と前記第２延設部との連結部から前記第１壁面当接部と平行に延びる平行線とが交わる位置に配設されていることを特徴とする手摺装置取付補助具。
【請求項２】
前記第２壁面当接部と第２延設部との境界に、第２部材位置決め部が設けられ、
前記第１部材は、前記連結部から前記第２壁面当接部と平行に延びる平行線と、前記第１部材位置決め部とが交わる位置に、前記第２部材位置決め部を前記第２壁面に設けられた第２壁面手摺取付基準線に沿わして前記第２部材を前記第２壁面に対して位置決めしたときに、前記第１壁面における第１壁面手摺取付基準線の一部とする第１壁面取付基準点を指し示す第１壁面取付基準点指示部を、更に備えていることを特徴とする請求項１記載の手摺装置取付補助具。
【請求項３】
前記手摺装置は、手摺棒と、前記手摺棒を前記第１壁面と第２壁面との夫々に取り付けるブラケットとを備え、
前記第１設定距離は、前記ブラケットによって前記手摺棒を前記第１壁面に取り付けた際における前記第１壁面から前記手摺棒の軸心までの距離に設定され、
前記第２設定距離は、前記ブラケットによって前記手摺棒を前記第２壁面に取り付けた際における前記第２壁面から前記手摺棒の軸心までの距離に設定されていることを特徴とする請求項１又は２記載の手摺装置取付補助具。
【請求項４】
請求項１〜３の何れか一項に記載の手摺装置取付補助具を用いて行う手摺装置取付方法であって、
前記第１部材の第１壁面当接部を前記第１壁面に当接させるとともに、前記第１部材位置決め部を前記第１壁面に設けられた第１壁面手摺取付基準線に沿わして前記第１部材を前記第１壁面に対して位置決めし、
前記第２部材の第２壁面当接部を、前記第２壁面に当接させ、その状態で、前記第２壁面における前記第２壁面取付基準点指示部に対応する第２壁面の取付基準点指示対応部を第２壁面取付基準点として明記し、この第２壁面取付基準点に基づいて第２壁面手摺取付基準線を形成できるようにしたことを特徴とする手摺装置取付方法。
【発明の詳細な説明】
【技術分野】
【０００１】
本発明は、手摺装置取付補助具及び手摺装置取付方法に関するものである。
【背景技術】
【０００２】
従来から、手摺棒を壁面に取り付ける手摺用のブラケットが、例えば特許文献１に提案されている。
【０００３】
このようなブラケットを有する手摺装置を、例えば階段における互いに直角な第１壁面と第２壁面との夫々に取り付ける場合、例えば図１４に示すように、第１壁面１００に手摺装置を取り付ける際の基準にする第１壁面手摺取付基準線１０４ａを第１壁面１００に、第２壁面１０１に手摺装置を取り付ける際の基準にする第２壁面手摺取付基準線１０４ｂを第２壁面１０１に、夫々、階段１０２の傾斜に応じて連続的に（互いに交わるように）描き、それらの基準線１０４ａ、１０４ｂに基づいて、第１壁面１００と第２壁面１０１との夫々に手摺装置のブラケット及び手摺棒を取り付ける。
【先行技術文献】
【特許文献】
【０００４】
【特許文献１】特開２００５−１４６７４２号公報
【発明の概要】
【発明が解決しようとする課題】
【０００５】
しかしながら、例えば図１５に示すように、予めブラケット１１２に設けた取付中心（図示せず）を第１壁面手摺取付基準線１０４ａ、第２壁面手摺取付基準線１０４ｂ夫々に沿わすようにして第１壁面１００と第２壁面１０１との夫々にブラケット１１２を取り付けた場合、そのブラケット１１２に手摺棒１１１を装着すると、手摺棒１１１が第１壁面１００、第２壁面１０１の夫々から所定距離だけ離れた位置に装着されるため、第１壁面１００側のものと第２壁面１０１側のものとが上下に位置ずれを起こして正面視で互いの軸心１１１ａの延長線同士が交わらずに所定の段差ｔを生じてしまう。このような段差ｔが生じると、外観的に好ましくないとともに、例えばＬ字状を呈する筒状の連結金具１１３（図１３参照）で連結する場合も連結し難くなってしまう。
【０００６】
そのため、従来、第１壁面１００と第２壁面１０１との夫々にブラケット１１２を取り付ける場合は、まず、第１壁面１００の第１壁面手摺取付基準線１０４ａに基づいてブラケット１１２を取り付けて、そのブラケット１１２に手摺棒１１１を装着し、その後、その装着した手摺棒１１１の端部に、第２壁面１０１に取り付ける手摺棒１１１の端部を目視で位置合わせしながら、その位置合わせした手摺棒１１１に合わせて第２壁面１０１にブラケット１１２２及び手摺棒１１１を取り付けている場合が多い。従って、熟練者でなければ作業を行い難く、しかも、熟練者でも作業に長時間を要してしまうという問題点がある。
【０００７】
本発明は、熟練者でない者でも容易に短時間で手摺装置を壁面に取付け得る手摺装置取付補助具及び手摺装置取付方法の提供を目的とする。
【課題を解決するための手段】
【０００８】
前記課題を解決するため、本発明は、互いに所定の角度をなした第１壁面と第２壁面との夫々に手摺装置を取り付ける際に用いる手摺装置取付補助具であって、第１部材と、第２部材とを備え、前記第１部材は、前記第１壁面に当接させる第１壁面当接部と、前記第１壁面当接部から延ばされた第１延設部と、前記第１壁面当接部と第１延設部との間に形成された第１部材位置決め部とを備え、前記第２部材は、前記第２壁面に当接させる第２壁面当接部と、前記第２壁面当接部から延ばされた第２延設部と、前記第１部材位置決め部を前記第１壁面に設けられた第１壁面手摺取付基準線に沿わして前記第１部材を前記第１壁面に対して位置決めしたときに前記第２壁面における第２壁面手摺取付基準線の一部とする第２壁面取付基準点を指し示す第２壁面取付基準点指示部とを備え、前記第１延設部と前記第２延設部とは、前記第１壁面当接部と第１設定距離だけ隔て、且つ、前記第２壁面当接部と第２設定距離だけ隔てた位置で、前記第１壁面当接部を前記第１壁面に、第２壁面当接部を第２壁面に夫々当接させた状態にして互いに回動し得るように連結され、前記第２壁面取付基準点指示部は、前記第２壁面当接部と前記第２延設部との境界と、前記第２延設部上における前記第１延設部と前記第２延設部との連結部から前記第１壁面当接部と平行に延びる平行線とが交わる位置に配設されていることを特徴とする手摺装置取付補助具を提供する。
【０００９】
この構成によれば、例えば第１壁面に接する各階段から設定高さ位置になるように第１壁面に設けられた第１壁面手摺取付基準線に基づいて、以下のようにして第２壁面に第２壁面手摺取付基準線を形成できる。まず、第１部材の第１壁面当接部を第１壁面に当接させるとともに、第１部材位置決め部を第１壁面に設けられた第１壁面手摺取付基準線に沿わして第１部材を第１壁面に対して位置決めする。又、第２部材の第２壁面当接部を、第２壁面に当接させる。
【００１０】
その際、第１延設部と第２延設部とは互いに回動し得るように連結されているため、容易に、第１壁面当接部を第１壁面に当接させた状態で、第２壁面当接部を第２壁面に容易に当接させることができる。
【００１１】
そして、その状態で、第２壁面における第２壁面取付基準点指示部に対応する第２壁面の取付基準点指示対応部を第２壁面取付基準点として墨等により明記する。
【００１２】
また、その際、第２部材の第２壁面取付基準点指示部は第２壁面当接部と前記第２延設部との境界と、前記第２延設部上における前記第１延設部と前記第２延設部との連結部から前記第１壁面当接部と平行に延びる平行線とが交わる位置に配設されているため、第２壁面取付基準点を、例えば第１壁面及び第２壁面夫々から手摺棒までの距離を考慮したものにできる。
【００１３】
そして、この第２壁面取付基準点と、第２壁面に接する階段であって第２壁面取付基準点の垂下位置の階段とは異なる他の階段から設定高さ位置の点とを結ぶ。これにより、第２壁面に第２壁面手摺取付基準線を形成できる。
【００１４】
そして、第１壁面手摺取付基準線と第２壁面手摺取付基準線との夫々に基づいてブラケットを取り付けるととともに、そのブラケットに手摺棒を取り付ける。その際、第１壁面手摺取付基準線に対して第２壁面手摺取付基準線を、第１壁面及び第２壁面夫々から手摺棒までの距離を考慮して形成しているため、第１壁面に装着した手摺棒の軸心の延長線と第２壁面に装着した手摺棒の軸心の延長線とを交わらせることができる。
【００１５】
従って、従来のように実際に目視で第１壁面に装着した手摺棒に第２壁面に装着する手摺棒を位置合わせすることなく、第１壁面手摺取付基準線と第２壁面手摺取付基準線とに沿わせてブラケットを取り付ければよく、熟練者でない者でも容易に短時間で手摺装置を第１壁面及び第２壁面に取付けることができる。
【００１６】
他の一態様では、前記手摺装置取付補助具において、前記第２壁面当接部と第２延設部との境界に、第２部材位置決め部が設けられ、前記第１部材は、前記連結部から前記第２壁面当接部と平行に延びる平行線と、前記第１部材位置決め部とが交わる位置に、前記第２部材位置決め部を前記第２壁面に設けられた第２壁面手摺取付基準線に沿わして前記第２部材を前記第２壁面に対して位置決めしたときに、前記第１壁面における第１壁面手摺取付基準線の一部とする第１壁面取付基準点を指し示す第１壁面取付基準点指示部を、更に備えている。
【００１７】
この構成によれば、第２壁面に設けられた第２壁面手摺取付基準線に基づいて第１壁面に第１壁面手摺取付基準線を形成することも可能になり、使用便利なものにできる。
【００１８】
他の一態様では、前記手摺装置取付補助具において、前記手摺装置は、手摺棒と、前記手摺棒を前記第１壁面と第２壁面との夫々に取り付けるブラケットとを備え、前記第１設定距離は、前記ブラケットによって前記手摺棒を前記第１壁面に取り付けた際における前記第１壁面から前記手摺棒の軸心までの距離に設定され、前記第２設定距離は、前記ブラケットによって前記手摺棒を前記第２壁面に取り付けた際における前記第２壁面から前記手摺棒の軸心までの距離に設定されている。
【００１９】
この構成によれば、第１壁面手摺取付基準線と第２壁面手摺取付基準線との夫々に基づいてブラケット及び手摺棒を取り付けると、第１壁面に装着した手摺棒の軸心の延長線と第２壁面に装着した手摺棒の軸心の延長線とを交わらせることができる。
【００２０】
又、本発明は、上記課題を解決するため、上記いずれかの手摺装置取付補助具を用いて行う手摺装置取付方法であって、前記第１部材の第１壁面当接部を前記第１壁面に当接させるとともに、前記第１部材位置決め部を前記第１壁面に設けられた第１壁面手摺取付基準線に沿わして前記第１部材を前記第１壁面に対して位置決めし、前記第２部材の第２壁面当接部を、前記第２壁面に当接させ、その状態で、前記第２壁面における前記第２壁面取付基準点指示部に対応する第２壁面の取付基準点指示対応部を第２壁面取付基準点として明記し、この第２壁面取付基準点に基づいて第２壁面手摺取付基準線を形成できるようにしたことを特徴とする手摺装置取付方法を提供する。
【００２１】
この構成によれば、従来のように実際に目視で第１壁面に装着した手摺棒に第２壁面に装着する手摺棒を位置合わせすることなく、第１壁面手摺取付基準線と第２壁面手摺取付基準線とに沿わせてブラケットを取り付ければよく、熟練者でない者でも容易に短時間で手摺装置を第１壁面及び第２壁面に取付けることができる。
【発明の効果】
【００２２】
本発明は、熟練者でない者でも容易に短時間で手摺装置を壁面に取付け得る手摺装置取付補助具及び手摺装置取付方法を提供し得たものである。
【図面の簡単な説明】
【００２３】
【図１】本発明の手摺装置取付補助具の一実施形態の斜視図である。
【図２】図１の状態から第１部材に対して第２部材を回動した状態の斜視図である。
【図３】図１の手摺装置取付補助具の平面図である。
【図４】図１の手摺装置取付補助具の正面図である。
【図５】図１の手摺装置取付補助具の背面図である。
【図６】図１の手摺装置取付補助具の右側面図である。
【図７】図１の手摺装置取付補助具の底面図である。
【図８】図３のＶＩＩＩ−ＶＩＩＩ線拡大断面図である。
【図９】図３のＩＸ−ＩＸ線断面図である。
【図１０】本発明の手摺装置取付方法の説明図に係り、第１壁面に第１部材を位置決めした状態の斜視図である。
【図１１】図１０の要部拡大斜視図である。
【図１２】本発明の手摺装置取付方法の他の説明図に係り、第２壁面取付基準点に基づいて、第２壁面に第２壁面手摺取付基準線を表示した状態の斜視図である。
【図１３】第２壁面手摺取付基準線に基づいて第１壁面及び第２壁面夫々に手摺装置を装着した状態の要部の斜視図である。
【図１４】従来の手摺装置取付方法の説明図に係り、第１壁面に第１壁面手摺取付基準線を、第２壁面に第２壁面手摺取付基準線を、夫々表示した状態の斜視図である。
【図１５】第１壁面手摺取付基準線及び第２壁面手摺取付基準線に基づいて第１壁面及び第２壁面夫々に手摺装置を装着した状態の要部の斜視図である。
【発明を実施するための形態】
【００２４】
以下、本発明を実施するための最良の形態について、図面を参照しながら詳細に説明する。図１は、本発明の手摺装置取付補助具の一実施形態の斜視図、図２は、図１の状態から第１部材に対して第２部材を回動した状態の斜視図、図３は、図１の手摺装置取付補助具の平面図、図４は、図１の手摺装置取付補助具の正面図、図５は、図１の手摺装置取付補助具の背面図、図６は、図１の手摺装置取付補助具の右側面図、図７は、図１の手摺装置取付補助具の底面図である。また、図８は、図３のＶＩＩＩ−ＶＩＩＩ線断面図、図９は、図３のＩＸ−ＩＸ線断面図である。
【００２５】
本発明の手摺装置取付補助具１０は、例えば図１０に示すように階段或いはスロープにおける互いに所定の角度（この実施形態では直角）をなした第１壁面１００と第２壁面１０１との夫々に手摺装置１１０（図１３参照）を取り付ける際に用いるものである。
【００２６】
この実施形態の手摺装置取付補助具１０は、図１〜図９に示すように、第１部材１と、第１部材１と回動自在に連結された第２部材２とを備えている。
【００２７】
第１部材１は、板状の第１部材本体１１と、板状の第１延設部１２と、第１部材位置決め部１３とを備えている。第１部材本体１１は、その外側面に、第１壁面１００に当接させる平面状の第１壁面当接部１１ａを備えている。
【００２８】
この実施形態では、第１壁面当接部１１ａは、その全体が平面状に形成され、第１壁面１００に面接する当接面とされているが、例えば、第１壁面当接部１１ａに複数の突起を形成して第１壁面１００に当接させるようにしてもよい。
【００２９】
第１延設部１２は、第１壁面当接部１１ａの上端から左前方に、第１部材本体１１と直角をなすように延ばされており、その表面（図の上面）に、第１壁面当接部１１ａと直角に形成された平面状の第１平面１２ａを備えている。又、第１延設部１２は、その左端に、後述する第２部材２の第２延設部２２の第２部材用対向部２２ｂと対向する第１部材用対向部１２ｂとを備えている。
【００３０】
この第１部材用対向部１２ｂは、図３に示すように第１壁面当接部１１ａとのなす角度Ａ１が４５°になるように形成されている。又、第１部材用対向部１２ｂは、図４に示すように先端側に行くに従い漸次板厚が薄くなるように構成されている。尚、この実施形態では、第１延設部１２は、第１部材本体１１と一体的に形成されているが、第１部材本体１１とは別途に形成し第１部材本体１１に固定的に連結してもよい。
【００３１】
第１部材位置決め部１３は、第１壁面１００に設けられた第１壁面手摺取付基準線１０４ａ（図１０参照）に沿わして第１壁面１００に対して第１部材１を位置決めするためのもので、第１延設部１２の第１平面１２ａと第１部材本体１１の第１壁面当接部１１ａとの境界（間）に直線状に形成されている。
【００３２】
又、この実施形態では、第１部材１は、第１部材位置決め部１３の後端（一端）に、第１壁面取付基準点指示部１４を備えている。この第１壁面取付基準点指示部１４は、第２部材２を用いて第１壁面１００に第１壁面手摺取付基準線１０４ａを表示する場合の基準点を指し示す部分である。
【００３３】
第２部材２は、第１部材１と左右対称に形成されて第１部材１とで左右一対をなすように構成されている。詳しくは、第２部材２は、板状の第２部材本体２１と、第２部材本体２１と直角に形成された板状の第２延設部２２と、第２部材位置決め部２３とを備えている。
【００３４】
第２部材本体２１は、その外側面に、第２壁面１０１に当接させる平面状の第２壁面当接部２１ａを備えている。この実施形態では、第２壁面当接部２１ａも、その全体が平面状に形成され、第２壁面１０１に面接する当接面とされているが、例えば、第２壁面当接部２１ａに複数の突起を形成して第２壁面１０１に当接させるようにしてもよい。
【００３５】
第２延設部２２は、その上面に、第２壁面当接部２１ａと直角に形成された平面状の第２平面２２ａを備えている。又、この第２延設部２２の右端には、第１部材１の第１部材用対向部１２ｂと対向した第２部材用対向部２２ｂを備えている。
【００３６】
この第２部材用対向部２２ｂは、第２壁面当接部２１ａとのなす角度Ａ２が略４５°になるように形成されている。又、第２部材用対向部２２ｂは、図４に示すように先端側に行くに従い漸次板厚が薄くなるように構成されている。尚、この第２部材２の第２延設部２２も、第２部材本体２１と一体的に形成されているが、第２部材本体２１とは別途に形成し第２部材本体２１に固定的に連結してもよい。
【００３７】
第２部材位置決め部２３は、第２壁面１０１に設けられた第２壁面手摺取付基準線１０４ｂに沿わしてこの第２部材２を位置決めするためのもので、第２延設部２２の第２平面２２ａと第２部材本体２１の第２壁面当接部２１ａとの境界に直線状に形成されている。
【００３８】
又、この実施形態では、第２部材位置決め部２３の後端には、第２壁面取付基準点指示部２４が設けられている。この第２壁面取付基準点指示部２４は、第１部材１を用いて第２壁面１０１に第２壁面手摺取付基準線１０４ｂを表示する場合の基準点を指し示す部分である。
【００３９】
以上のように構成された第１部材１と第２部材２とは、第１部材１の第１延設部１２の第１部材用対向部１２ｂと第２部材２の第２延設部２２の第２部材用対向部２２ｂとを、殆ど隙間ができない程度に対向させるようして互いに連結手段３によって回動自在に連結されている。
【００４０】
詳しくは、図３に示すように、第１延設部１２と第２延設部２２とは、第１部材用対向部１２ｂと第２部材用対向部２２ｂとが、夫々、互いに対向した状態で、第１平面１２ａ上における第１壁面当接部１１ａと第１設定距離Ｌ１だけ隔てて第１壁面当接部１１ａと平行に延びる第１平行線３２と交差し、且つ、第２平面１２ａ上における第２壁面当接部２１ａと第２設定距離Ｌ２だけ隔てて第２壁面当接部２１ａと平行に延びる第２平行線３３と交差する位置で、回動自在に連結されている。
【００４１】
すなわち、第１延設部１２と第２延設部２２とは、第１壁面当接部１１ａと第１設定距離Ｌ１だけ隔て、且つ、第２壁面当接部２１ａと第２設定距離Ｌ２だけ隔てた位置で、互いに回動自在に連結されている。
【００４２】
この実施形態では、上記第１設定距離Ｌ１は、第１壁面１００に、後述の手摺装置１１０の手摺棒１１１を装着した際におけるその手摺棒１１１の軸心１１１ａと第１壁面１００との距離に設定されている。
【００４３】
また、上記第２設定距離Ｌ２は、第２壁面１０１に手摺棒１１１を装着した際におけるその手摺棒１１１の軸心１１１ａと第２壁面１０１との距離に設定されている。又、この実施形態では、第１設定距離Ｌ１と第２設定距離Ｌ２とは、同じとされている。
【００４４】
また、この実施形態における連結手段は、図８に示すように折り曲げ自在な金属線材からなる連結軸３を備えたものから構成されている。そして、この連結軸３が第１部材用対向部１２ｂと第２部材用対向部２２ｂとの夫々の上記位置に取り付けられて、第１部材１の第１平面１２ａと第２部材２の第２平面２２ａとが面一になった図３の状態で、第１壁面当接部１１ａと第２壁面当接部２１ａとが互いに直角な面をなしている。
【００４５】
又、この状態で、第２部材２は、第１部材１に対して、連結軸３を介して第１部材１と連結された連結部３１を含む第１平行線３２を回動の軸に（図３のＸ−Ｘ方向）及び連結部３１を含む第２平行線３３を回動の軸に（図３のＹ−Ｙ方向）、夫々、回動可能とされている。
【００４６】
これにより、例えば第１壁面１００に第１壁面当接部１１ａを任意な角度状態で当接（面接）させ、同時に第２壁面１０１に第２壁面当接部２１ａを当接（面接）させることができるとともに、その状態で、第２部材２を第１部材１に対して回動させることができるようになっている。
【００４７】
又、上記第２部材２の第２壁面取付基準点指示部２４は、第２平面２２ａ上における上記第１部材１と第２部材２との連結部３１から第１壁面当接部１１ａと第１設定距離Ｌ１だけ隔てて第１壁面当接部１１ａと平行に延びる第３平行線３４と第２部材位置決め部２３とが交わる位置に形成されている。尚、この第３平行線３４は、第１平面１２ａと第２平面２２ａとが面一になった図３の状態において、平面視で、第１平行線３２と一直線状になる。
【００４８】
又、上記第１部材１の第１壁面取付基準点指示部１４は、第１平面１２ａ上における上記連結部３１から第２壁面当接部２１ａと第２設定距離Ｌ１だけ隔てて第２壁面当接部２１ａと平行に延びる第４平行線３５と第１部材位置決め部１３とが交わる位置に形成されている。尚、この第４平行線３５は、第１平面１２ａと第２平面２２ａとが面一になった図３の状態において、平面視で、第２平行線３３と一直線状になる。
【００４９】
又、この実施形態では、第１壁面当接部１１ａと第２壁面当接部２１ａとの夫々の右前端（他端）が、ブラケット取付位置指示部１１ｂ、２１ｂとされており、このブラケット取付位置指示部１１ｂ、２１ｂが指し示す第１壁面１００、第２壁面１０１の夫々の位置がブラケットを取り付ける基準位置に設定するようにしている。
【００５０】
更に、この実施形態では、第１部材１の第１平面１２ａと第２部材２の第２平面２２ａとの夫々に、手摺棒位置合わせライン１２ｃ、２２ｃが表示されている。この手摺棒位置合わせライン１２ｃ、２２ｃは、第１壁面１００、第２壁面１０１の夫々に装着する際に、手摺棒の端部を位置合わせするためのものである。
【００５１】
次に、以上のように構成された手摺装置取付補助具１０を用いて手摺装置を取り付ける手摺装置取付方法について説明する。
【００５２】
まず、図１０、図１１に示すように第１壁面１００に第１部材１の第１壁面当接部１１ａの全体を当接（面接）させ、第１壁面１００に接した階段の傾斜に応じて第１壁面１００に表示した第１壁面手摺取付基準線１０４ａ（各階段の所定箇所から設定高さ位置の点同士を結んだ線）に、第１部材１の第１部材位置決め部１３を沿わすとともに、第２壁面１０１に第２部材２の第２壁面当接部２１ａの全体を当接（面接）させる。
【００５３】
これにより、第１部材１と第２部材２とを第１壁面１００と第２壁面１０１との夫々に対して位置決めできる。そして、その状態で、第２部材２の第２壁面取付基準点指示部２４に対応する第２壁面１０１の取付基準点指示対応部を第２壁面取付基準点１０１ａとして明記する。
【００５４】
その際、第２部材２は、第２壁面当接部２１ａが第２壁面１０１に当接した状態で第１部材１に対して回動するが、その回動が上記第３平行線３４を軸にして行われるため、第２壁面取付基準点指示部２４の第２壁面１０１に対する位置は一定位置に保持される。従って、第１部材１に対する第２部材２の位置にかかわらずに、第２壁面取付基準点指示部２４に対応する第２壁面取付基準点１０１ａを、墨書き等によって明記すればよい。
【００５５】
又、上記状態で、第１部材１のブラケット取付位置指示部１１ｂに対応する第１壁面１００の取付位置指示対応部をブラケット取付位置基準点１００ｂとして墨書き等によって明記するとともに、第２部材２のブラケット取付位置指示部２１ｂに対応する第２壁面１０１の取付位置指示対応部をブラケット取付位置基準点１０１ｂとして墨書き等によって明記する。
【００５６】
更に、上記状態で、第１部材１の手摺棒位置合わせライン１２ｃに対応する第１壁面１００の位置合わせライン指示対応部を手摺棒位置合わせライン基準点１００ｃとして墨書き等によって明記するとともに、第２部材２の手摺棒位置合わせライン２２ｃに対応する第２壁面１０１の位置合わせライン指示対応部を手摺棒位置合わせライン基準点１０１ｃとして墨書き等によって明記する。
【００５７】
その後、図１２に示すように、例えば第２壁面１０１に接した階段であって、上記明記した第２壁面取付基準点１０１ａの垂下位置の階段１０２ａとは異なる他の階段１０２ｂ（この図１２では、上記垂下位置の階段１０２ａから上に３つ目の階段）の所定箇所から設定高さ位置の点１０６と、上記明記した第２壁面取付基準点１０１ａとを結ぶ。これにより、第２壁面手摺取付基準線１０４ｂを第２壁面１０１に明記できる。
【００５８】
そして、第１壁面手摺取付基準線１０４ａ及び第２壁面手摺取付基準線１０４ｂ上における夫々のブラケット取付位置基準点１００ｂ、１０１ｂに基づいてブラケット１１２を第１壁面１００、第２壁面１０１夫々に取り付ける。
【００５９】
そして、その取り付けたブラケット１１２に手摺棒１１１を、その手摺棒１１１の端面を手摺棒位置合わせライン基準点１０１に位置合わせするようにして取り付け、或いは、手摺棒１１１の端部を、手摺棒位置合わせライン基準点１０１に合わせてカットするようにして取り付ける。
【００６０】
その後、図１３に示すように第１壁面１００及び第２壁面１０１夫々に取り付けた手摺棒１１１夫々の端部に、Ｌ字状を呈する筒状の連結金具１１３を取り付ける。その際、手摺棒１１１夫々は、軸心１１１ａの延長線同士が正面視で交わるとともに、各端部の位置が所定位置に合わされるようにして配設されているため、連結金具１１３を容易に取り付けることができる。
【００６１】
一方、第２壁面１０１に設けた第２壁面手摺取付基準線１０４ｂに基づいて、第１壁面１００に第１壁面手摺取付基準線１０４ａを形成する場合は、第１壁面１００に第１部材１の第１壁面当接部１１ａを当接させるとともに、第２壁面１０１に第２部材２の第２壁面当接部２１ａを当接させた状態から、第２壁面手摺取付基準線１０４ｂに第２部材２の第２部材位置決め部２３を沿わす。その状態で、第１部材１の第１壁面取付基準点指示部１４に対応する第１壁面１００の取付基準点指示対応部を第１壁面取付基準点１００ａとして墨書き等によって明記する。そして、先の場合と同様に、その第１壁面取付基準点１００ａ（図１１に図示）に基づいて第１壁面手摺取付基準線を形成する。
【００６２】
尚、上記実施形態では、第１部材１は、第１壁面取付基準点指示部１４を備えたものとしているが、第１壁面取付基準点指示部１４を備えていない形態のものでもよく、適宜変更できる。
【００６３】
又、上記実施形態では、第１部材１と第２部材２とを連結軸３によって回動自在に連結しているが、両者を連結する連結手段はこの形態のものに限らず、適宜変更できる。例えば第１部材１と第２部材２のいずれか一方に設けられたボールと、いずれか他方に設けられそのボールを回動自在に保持したボール保持部とを備えたボールジョイントによって連結するようにしたものでもよい。
【００６４】
又、上記実施形態では、第２平面２２ａ上に第３平行線３４を表示しているとともに、第１平面１２ａ上に第４平行線３５を表示しているが、これらを表示しないものでもよく、適宜変更できる。
【００６５】
又、上記実施形態では、第１平面１２ａと第２平面２２ａとに夫々手摺棒位置合わせライン１２ｃ、２２ｃを表示しているが、手摺棒位置合わせライン１２ｃ、２２ｃを表示しないようにしてもよく、適宜変更できる。
【００６６】
又、上記実施形態では、第２壁面手摺取付基準線１０４ｂに直接ブラケット１１２の所定位置を合わせて取り付けているが、例えば第２壁面手摺取付基準線１０４ｂから所定距離だけ離れた下方位置に第２壁面手摺取付基準線１０４ｂと平行なブラケット取付基準線を描いてそのブラケット取付基準線にブラケット１１２の所定位置を合わせて取り付けるようにしてもよい。
【００６７】
又、上記実施形態では、階段における直角をなした第１壁面と第２壁面とに手摺装置を取り付けたが、この形態のものに限らず、例えば階段における鈍角をなした第１壁面と第２壁面と手摺装置を取り付ける場合にも、本発明の手摺装置取付補助具を適応できる。又、本発明の手摺装置取付補助具は、階段に限らず、スロープ等における所定角度をなした第１壁面と第２壁面とに手摺装置を取り付ける場合等にも用いることができる。
【符号の説明】
【００６８】
１    第１部材
２    第２部材
１０    手摺装置取付補助具
１１ａ    第１壁面当接部
１２    第１延設部
１３    第１部材位置決め部
２１ａ    第２壁面当接部
２２    第１延設部
２３    第１部材位置決め部
１４    第１壁面取付基準点指示部
２４    第２壁面取付基準点指示部
１００    第１壁面
１０１    第２壁面
１０４ａ    第１壁面手摺取付基準線
１０４ｂ    第２壁面手摺取付基準線
【図１】
0005612495.tif 000002
【図２】
0005612495.tif 000003
【図３】
0005612495.tif 000004
【図４】
0005612495.tif 000005
【図５】
0005612495.tif 000006
【図６】
0005612495.tif 000007
【図７】
0005612495.tif 000008
【図８】
0005612495.tif 000009
【図９】
0005612495.tif 000010
【図１０】
0005612495.tif 000011
【図１１】
0005612495.tif 000012
【図１２】
0005612495.tif 000013
【図１３】
0005612495.tif 000014
【図１４】
0005612495.tif 000015
【図１５】
0005612495.tif 000016